(57)【要約】【課題】キャビネット本体の下部の引出から物品を楽に出し入れすることができ、デザイン的にも違和感を生じないフロアーキャビネットを提供する。【解決手段】キャビネット本体１の下部に前後方向出し入れ自在な引出２を備えたフロアーキャビネットにおいて、前記引出２に上下昇降自在な収納棚３を設けた。この場合、前記引出２及び収納棚３はいずれも上方へ開口した箱型に形成され、引出２の内部に収納棚３が上下方向出し入れ自在に収容されている。また、前記キャビネット本体１は上下に複数段の引出２を備え、最下段の引出２が前記引出とされてこれに上下昇降自在な収納棚３が設けられている。【選択図】図２
2007330564.tif 000002
【特許請求の範囲】
【請求項１】
キャビネット本体の下部に前後方向出し入れ自在な引出を備えたフロアーキャビネットであって、前記引出に上下昇降自在な収納棚を設けてなるフロアーキャビネット。
【請求項２】
前記引出及び収納棚をいずれも上方へ開口した箱型に形成し、引出の内部に収納棚を上下方向出し入れ自在に収容したことを特徴とする請求項１記載のフロアーキャビネット。
【請求項３】
キャビネット本体が上下に複数段の引出を備え、最下段の引出を前記引出としてこれに上下昇降自在な収納棚を設けたことを特徴とする請求項１又は２記載のフロアーキャビネット。
【請求項４】
収納棚を手動で上昇操作されるものとなし、同収納棚を上方へ付勢するバランサ機構を設けたことを特徴とする請求項３記載のフロアーキャビネット。
【発明の詳細な説明】
【技術分野】
【０００１】
本願発明は、キャビネット本体の下部に前後方向出し入れ自在な引出を備えてなり、例えば、キッチンの床面上に流し台、厨房台等として設置されるフロアーキャビネットに関するものである。
【背景技術】
【０００２】
従来から、キッチンの床面上に流し台、厨房台等として設置されるフロアーキャビネットは知られており、この種のフロアーキャビネットにおいて、前後方向出し入れ自在な引出を上下に複数段備えることも一般的である。この場合、上位の引出を出し入れする作業は比較的容易に行なわれるが、下位、特に、最下段の引出を出し入れする際には、低い位置での出し入れ作業となるため、しゃがんだり腰をかがめたりしての不安定な姿勢での作業となり、出し入れ作業の利便性や安全性に問題があった。
【０００３】
また、特開２００５−２５３９４８号公報には、可動収納ケースを備えた使い勝手の良好なキッチン台が示されている。この場合、可動収納ケースを回動させて上位で物品の出し入れを行なうことができ、使い勝手は良好である。しかしながら、このものでは、キッチン台の側部に可動収納ケースが付設されていて、キッチン台の側方は開放されていなければならず設置場所に制限があり、前方からの出し入れを行なうことはできないものである。しかも、可動収納ケースをキッチン台に外付けしたものであって、薄型となる同可動収納ケースによる収納スペースは小さく、デザイン的にも違和感を生じるものである。
【特許文献１】特開２００５−２５３９４８号公報
【発明の開示】
【発明が解決しようとする課題】
【０００４】
本願発明は、上記背景技術に鑑みてなされたものであり、その課題は、キャビネット本体の下部に位置する引出から物品を楽に出し入れすることができ、デザイン的にも違和感を生じないフロアーキャビネットを提供することである。
【課題を解決するための手段】
【０００５】
上記課題を解決するために、本願請求項１記載の発明は、キャビネット本体の下部に前後方向出し入れ自在な引出を備えたフロアーキャビネットであって、前記引出に上下昇降自在な収納棚を設けてなる。
【０００６】
また、本願請求項２記載の発明は、請求項１記載のフロアーキャビネットにおいて、前記引出及び収納棚をいずれも上方へ開口した箱型に形成し、引出の内部に収納棚を上下方向出し入れ自在に収容したことを特徴としている。
【０００７】
また、本願請求項３記載の発明は、請求項１又は２記載のフロアーキャビネットにおいて、キャビネット本体が上下に複数段の引出を備え、最下段の引出を前記引出としてこれに上下昇降自在な収納棚を設けたことを特徴としている。
【０００８】
また、本願請求項４記載の発明は、請求項３記載のフロアーキャビネットにおいて、収納棚を手動で上昇操作されるものとなし、同収納棚を上方へ付勢するバランサ機構を設けたことを特徴としている。
【発明の効果】
【０００９】
本願請求項１記載の発明であるフロアーキャビネットにおいては、キャビネット本体の下部に備わった引出を前後方向に出し入れすることができる。しかも、前記引出には上下昇降自在な収納棚が設けられているので、引出は下位にあっても収納棚を上昇させることにより、同収納棚に収納される物品を上位で楽に出し入れすることができる。そして、収納棚を下降させて引出と共にキャビネット本体内に収容することにより、デザイン的にも違和感なく良好に納まる。
【００１０】
また、本願請求項２記載の発明であるフロアーキャビネットにおいては、特に、前記引出及び収納棚がいずれも上方へ開口した箱型に形成されているので、二重箱状となる引出の内部に物品を安全に保管することができる。この場合、引出の内部に収納棚が上下方向出し入れ自在に収容されているので、引出の内部から上方へ引き出される箱型の収納棚内には物品が落下しないよう確実に収納され、同収納棚の上方開口から物品は支障無く出し入れされる。
【００１１】
また、本願請求項３記載の発明であるフロアーキャビネットにおいては、特に、キャビネット本体が上下に複数段の引出を備えているので、収納スペースは複数段の引出によって大きく確保される。しかも、最下段の引出が前記引出としてこれには上下昇降自在な収納棚が設けられているので、最下段の引出からでも収納棚を上昇させて物品を上位で楽に出し入れすることができ、収納棚を下降させれば、最下段の引出及びその上の引出も支障無く出し入れすることができる。
【００１２】
また、本願請求項４記載の発明であるフロアーキャビネットにおいては、特に、収納棚が手動で上昇操作されるものであるので、最下段の引出を引き出した際には、必要に応じ収納棚を手動で上昇操作してそこから物品を出し入れすることができ、その際、同収納棚を上方へ付勢するバランサ機構が設けられているので、この収納棚を手動でも軽く上昇操作することができる。そして、最下段の引出を引き出した状態でも、収納棚を下降させれば、その上の引出を支障無く出し入れすることができる。
【発明を実施するための最良の形態】
【００１３】
図１〜４は、本願請求項１〜４全てに対応した一実施形態を示している。この実施形態のフロアーキャビネットは、キャビネット本体１の下部に前後方向出し入れ自在な引出２を備えたものであり、前記引出２に上下昇降自在な収納棚３を設けている。そして、前記引出２及び収納棚３をいずれも上方へ開口した箱型に形成し、引出２の内部に収納棚３を上下方向出し入れ自在に収容している。また、キャビネット本体１が上下に複数段の引出２を備え、最下段の引出２を前記引出２としてこれに上下昇降自在な収納棚３を設けている。この場合、収納棚３を手動で上昇操作されるものとなし、図３に示すように、同収納棚３を上方へ付勢するバランサ機構Ｂを設けている。
【００１４】
以下、この実施形態のフロアーキャビネットをより具体的詳細に説明する。この実施形態のフロアーキャビネットは、キッチンの床面Ｆ上に流し台、厨房台等となるキッチン台として設置されている。フロアーキャビネットの主体を構成するキャビネット本体１は木製で、その上端部分に人造大理石と称される合成樹脂、ステンレスに代表される金属等で形成されるカウンター４が設けられている。カウンター４には、シンク５、その後方に給水カラン６等が配設されている。そして、キャビネット本体１には、カウンター４の下方において、上下二段の引出２が配設されている。
【００１５】
また、図４に示すように、この実施形態のフロアーキャビネットでは、その左右中程位置において上下二段の引出２が左右方向に三組配設されており、この引出２の組上方には前記シンク５及び給水カラン６が配設され、同引出２の組一側方にはコンロ、グリル、レンジ等の厨房機器７が設置され、他側方には食器乾燥機８が設置され、これ等は一連のカウンター４と共にキッチン台として一体化されている。
【００１６】
そして、図１、２に示すように、上下の引出２はいずれも、前面板２１とその背方に固着一体化される上方へ開口した箱体２２とで形成され、この箱体２２の両側に配設されるレール部材９によって、キャビネット本体１に対し前後方向スライド自在に支持されている。前面板２１は上下の引出２で略同一寸法形状に形成されているが、箱体２２は上段の引出２のものが下段の引出２のものよりも浅く形成されており、シンク５は同上段の引出２の箱体２２上側に支障無く設けられている。
【００１７】
キャビネット本体１の前面下端部分には蹴込み部１０が設けられており、この蹴込み部１０に対応する凹所１１が下段、すなわち、最下段の引出２の前面下縁部分に形成されている。これは、最下段の引出２の内部容積を大きく確保すると共に、キッチン台全体としてのデザインに違和感を生じさせないようにしているものである。この場合、最下段の引出２の内部では、収納棚３が凹所１１の段部分よりも後側下方位置に収容され、上昇される際に、収納棚３は同段部分の上方で前側に張り出されて前面板２１に近接される。
【００１８】
収納棚３は上方へ開口した箱型に形成されたもので、図３に示すように、平行リンク機構Ａによって最下段の引出２の内部に上下動自在に支持されている。平行リンク機構Ａは下リンク片Ｌ１と上リンク片Ｌ２とを有し、収納棚３の左右両側に配設されており、いずれのリンク片Ｌ１、Ｌ２も、その後端１２が引出２の内側壁面に枢支され、その前端１３が収納棚３の外側壁面に枢着されることにより、同引出２と収納棚３とをその両側で連結している。
【００１９】
この場合、両リンク片Ｌ１、Ｌ２は、引出２の内側壁面に枢支固定される後端１２を中心にして相互に平行のまま上下に回動され、両リンク片Ｌ１、Ｌ２の前端１３で支持される収納棚３が水平状態のままで上下昇降動作される。また、下リンク片Ｌ１の後端１２は後方へ延設されており、この延設部先端１４と引出２との間に引っ張りバネ１５が張設されている。この引っ張りバネ１５は、下リンク片Ｌ１をその前端１３が上方へ回動するように付勢するもので、収納棚３を上方へ付勢するバランサ機構Ｂとなるものである。
【００２０】
また、前記下リンク片Ｌ１の延設部先端１４は、収納棚３が上昇された状態で、引出２の後側壁面に付設されたラッチ１６に係止されるものである。延設部先端１４はラッチ１６に対し着脱自在に係止されるものであり、係止状態では下リンク片Ｌ１の回動が停止されて、収納棚３は上昇された状態に保持される。前記両リンク片Ｌ１、Ｌ２の後端１２や引っ張りバネ１５、ラッチ１６等の機能部は、収納棚３より後方の引出２の後部スペース内に支障無く納められている。
【００２１】
それ故、最下段の引出２を引き出した状態で、同引出２の中から収納棚３を水平状態のままで上方へ軽く引き上げることができる。この場合、収納棚３の前端上縁部分に把手部１７が設けられており、この把手部１７を持って収納棚３を楽に引き上げることができるものである。そして、収納棚３は引き上げられた状態で保持され、この収納棚３から物品の出し入れを容易に行なうことができる。
【００２２】
また、最下段の引出２を引き出した状態で、収納棚３を必要に応じ手動で引き上げることができるものであり、同状態で収納棚３を下降させておけば、その上段の引出２を支障無く出し入れすることもできる。なお、収納棚３を下降させる際は、手動で同収納棚３を押し下げてやれば、前記ラッチ１６から下リンク片Ｌ１の延設部先端１４が外れて、後は収納棚３がその自重（収納された物品の重量も含む）でバランサ機構Ｂのバネ付勢力に抗して緩やかに下降する。
【００２３】
したがって、この実施形態のフロアーキャビネットにおいては、キャビネット本体１の最下段の引出２を前後方向に出し入れすることができ、しかも、この引出２には上下昇降自在な収納棚３が設けられているので、同引出２は最下段で低い位置にあっても収納棚３を上昇させることにより、同収納棚３に収納される物品を高い上位で楽に出し入れすることができる。そして、収納棚３を下降させて最下段の引出２と共にキャビネット本体１内に押し入れ収容することにより、通常の引出構造の外観と変わらずデザイン的にも違和感なく良好に納まる。
【００２４】
また、この実施形態のフロアーキャビネットにおいては、前記引出２及び収納棚３がいずれも上方へ開口した箱型に形成されているので、両者が重なった二重箱状となる同引出２の内部に物品を安全に保管することができる。そして、この場合に、引出２の内部に収納棚３が上下方向出し入れ自在に収容されているので、引出２の内部から上方へ引き出される箱型の収納棚３内には物品が落下しないよう確実に収納され、すなわち、収納棚３が上昇されたてもその内部から外へ物品は落下しないものであり、同収納棚３の上方開口から物品は支障無く出し入れされる。
【００２５】
また、この実施形態のフロアーキャビネットにおいては、キャビネット本体１が上下に複数段の引出２を備えているので、出し入れ自在となる収納スペースは上下複数段の引出２によって大きく確保される。しかも、最下段の引出２には上下昇降自在な収納棚３が設けられているので、最下段の引出２からでも収納棚３を上昇させて物品を上位で楽に出し入れすることができ、収納棚３を下降させれば、最下段の引出２及びその上段の引出２も支障無く出し入れすることができる。
【００２６】
また、この実施形態のフロアーキャビネットにおいては、収納棚３が手動にて上昇操作されるものであるので、最下段の引出２を引き出した際には、必要に応じ収納棚３を手動で上昇操作してそこから物品を出し入れすることができ、その際、同収納棚３を上方へ付勢するバランサ機構Ｂが設けられているので、この収納棚３を手動でも軽く持ち上げて上昇操作することができる。そして、最下段の引出２を引き出した状態でも、収納棚３を下降させておけば、その上の引出２を支障無く出し入れすることができる。
【００２７】
なお、上記実施形態のフロアーキャビネットは、キャビネット本体１が上下に複数段の引出２を備え、最下段の引出２に上下昇降自在な収納棚３を設けたものであったが、本願発明のフロアーキャビネットにあっては、キャビネット本体の下部に備わる引出に上下昇降自在な収納棚を設けてあればよく、同引出の上方に開き戸を有する収納スペースや前面開口の収納スペース等が設けられてもよいものである。また、本願発明のフロアーキャビネットは、キッチン台だけでなく、洗面台やその他の家具にも応用されるものである。
【図面の簡単な説明】
【００２８】
【図１】本願発明の一実施形態であるフロアーキャビネットを示す側面図。
【図２】同フロアーキャビネットの引出が引き出された状態を示す側面図。
【図３】同フロアーキャビネットにおける収納棚の動作状態を示す引出の断面図。
【図４】同フロアーキャビネットがキッチン台として設置された状態を示す正面図。
【符号の説明】
【００２９】
１  キャビネット本体
２  引出
２１  前面板
２２  箱体
３  収納棚
４  カウンター
Ａ  平行リンク機構
Ｂ  バランサ機構
【図１】
2007330564.tif 000003
【図２】
2007330564.tif 000004
【図３】
2007330564.tif 000005
【図４】
2007330564.tif 000006